(57)【特許請求の範囲】
【請求項１】
複数であるｎ個の映像を入力する映像入力手段と、
前記ｎ個の映像を1コマ毎に切換える映像切換手段と、
前記映像切換手段にて切換えられた映像をテープ記録媒体に記録再生する映像記録再生手段と、
前記テープ記録媒体のコマ送り再生時のコマ送り量を複数である前記ｎコマに設定したコマ送り量設定手段と、
コマ送り再生を指示する操作釦と、
前記操作釦の操作を検出して前記映像記録再生手段のキャプスタンモータを制御するテープ送り制御手段とを備え、
前記テープ送り制御手段は、前記操作釦の１回の操作で前記テープ記録媒体を、前記コマ送り量設定手段に設定された複数である前記ｎコマ送り量だけコマ送りを行う
磁気記録再生装置。
【請求項２】
映像記録再生手段の出力に、コマ送り停止時の映像を順次記憶する映像記憶手段を設け、常にコマ送り停止の映像のみを出力させてコマ送り移行時も映像記憶手段から読み出して常に固定されたカメラ映像のみを再生する
請求項１記載の磁気記録再生装置。
【請求項３】
複数であるｎ個の映像を入力する映像入力手段と、
前記ｎ個の映像を1コマ毎に切換える映像切換手段と、
前記映像切換手段にて切換えられた映像をテープ記録媒体に記録再生する映像記録再生手段と、
前記映像切換手段にて切換えられた映像にｎ台のカメラ映像を識別する識別符号を付加するカメラ番号認識手段と、
前記映像切換手段にて切換えられた映像信号と識別符号とをテープ記録媒体に記録再生する映像記録再生手段と、
再生時に見たいカメラを設定する再生カメラ番号設定手段と、
コマ送り再生を指示する操作釦と、
前記操作釦の操作を検出してキャプスタンモータを制御するテープ送り制御手段とを備え、
前記カメラ番号認識手段は、再生時に前記記録媒体に記録された前記識別符号から何れのカメラ映像かを認識し、前記テープ送り制御手段は、前記操作釦の１回の操作で前記テープ記録媒体を、前記再生カメラ番号設定手段に設定したカメラの識別符号を前記カメラ番号認識手段が認識するまでコマ送りを行う
磁気記録再生装置。
【請求項４】
前記テープ送り制御手段にて任意のカメラ番号を認識するまでコマ送りさせるが、一定量コマ送りを行っても選択したカメラの識別符号を認識できなかった場合にはコマ送りを停止させる最大コマ送り量設定手段を設けた
請求項３記載の磁気記録再生装置。
【発明の詳細な説明】
【０００１】
【発明の属する技術分野】
本発明は、ｎ台の監視カメラの切換えられた映像を記録する長時間録画可能な監視装置に関するものである。
【０００２】
【従来の技術】
従来、監視用ではｎ台のカメラ映像がフィールドまたはフレーム単位で切換えられ記録媒体である磁気テープ等に磁気記録再生装置により長時間録画されている。
【０００３】
事件、事故などがあった場合には、その磁気テープを再生して事故の様子が解析される。この解析において、重要な場面を再生する際には「コマ送り再生」が使われる。
【０００４】
【発明が解決しようとする課題】
しかしながら、上記従来の磁気記録再生装置ではコマ送り釦操作１回で記録された記録媒体を１コマ分しか送られないため、特定の一台の固定カメラ映像のみをコマ送り再生したい場合には、磁気テープにはｎコマに１回再生（解析）したいカメラ映像が記録されているため、任意の固定カメラ映像を１回更新するにはｎ回コマ送り釦を押す必要があった。
【０００５】
本発明は上記問題を解決するもので、１回のコマ送り操作でｎコマ送り動作を自動で行うことができ、さらに、内部に映像記憶手段を設けることによりコマ送り移行時にも任意のカメラ映像を再生できる磁気記録再生装置を提供することを目的とする。
【０００６】
【課題を解決するための手段】
本発明の請求項１の磁気記録再生装置は、複数であるｎ個の映像を入力する映像入力手段と、前記ｎ個の映像を1コマ毎に切換える映像切換手段と、前記映像切換手段にて切換えられた映像をテープ記録媒体に記録再生する映像記録再生手段と、前記テープ記録媒体のコマ送り再生時のコマ送り量を複数である前記ｎコマに設定したコマ送り量設定手段と、コマ送り再生を指示する操作釦と、前記操作釦の操作を検出して前記映像記録再生手段のキャプスタンモータを制御するテープ送り制御手段とを備え、前記テープ送り制御手段は、前記操作釦の１回の操作で前記テープ記録媒体を、前記コマ送り量設定手段に設定された複数である前記ｎコマ送り量だけコマ送りを行うことを特徴とする。
【０００７】
本発明の請求項２の磁気記録再生装置は、請求項１において、映像記録再生手段の出力に、コマ送り停止時の映像を順次記憶する映像記憶手段を設け、常にコマ送り停止の映像のみを出力させてコマ送り移行時も映像記憶手段から読み出して常に固定されたカメラ映像のみを再生することを特徴とする。
【０００９】
本発明の請求項３の磁気記録再生装置は、複数であるｎ個の映像を入力する映像入力手段と、前記ｎ個の映像を1コマ毎に切換える映像切換手段と、前記映像切換手段にて切換えられた映像をテープ記録媒体に記録再生する映像記録再生手段と、前記映像切換手段にて切換えられた映像にｎ台のカメラ映像を識別する識別符号を付加するカメラ番号認識手段と、前記映像切換手段にて切換えられた映像信号と識別符号とをテープ記録媒体に記録再生する映像記録再生手段と、再生時に見たいカメラを設定する再生カメラ番号設定手段と、コマ送り再生を指示する操作釦と、前記操作釦の操作を検出してキャプスタンモータを制御するテープ送り制御手段とを備え、前記カメラ番号認識手段は、再生時に前記記録媒体に記録された前記識別符号から何れのカメラ映像かを認識し、前記テープ送り制御手段は、前記操作釦の１回の操作で前記テープ記録媒体を、前記再生カメラ番号設定手段に設定したカメラの識別符号を前記カメラ番号認識手段が認識するまでコマ送りを行うことを特徴とする。
【００１０】
本発明の請求項４の磁気記録再生装置は、請求項３において、前記テープ送り制御手段にて任意のカメラ番号を認識するまでコマ送りさせるが、一定量コマ送りを行っても選択したカメラの識別符号を認識できなかった場合にはコマ送りを停止させる最大コマ送り量設定手段を設けたことを特徴とする。
【００１１】
【発明の実施の形態】
以下、本発明の各実施の形態を図面を参照しながら説明する。
（実施の形態１）
図１と図２は本発明の（実施の形態１）を示す。
【００１２】
図１において、監視カメラ１００は、外部のｎ台のカメラａ〜カメラｎで構成されている。２００はそのカメラ映像を切換える外部の映像切換装置で、カメラａ〜カメラｎからの映像信号を映像入力手段２００ａで受け、入力された複数の映像信号のうちの指定された幾つかの映像信号を順に切り換えて所定周期で出力する映像切換手段２００ｂを介して出力している。３００が本発明の（実施の形態１）の磁気記録再生装置である。
【００１３】
磁気記録再生装置３００において、１は映像を入力する映像入力手段で、外部の映像切換手段２００ｂからの切換えられた監視カメラ映像が入力されている。
２は映像記録再生手段で、映像入力手段１の出力の映像信号を磁気テープ６に回転ヘッド（図示せず）で記録したり、磁気テープ６から映像信号を再生する。７は磁気テープ６を走行駆動するキャプスタンモータである。８は映像記録再生手段２から再生される映像を出力する映像出力手段である。
【００１４】
５はテープ送り制御手段で、コマ送り量設定手段３にて設定されたコマ数分だけ磁気テープ６を送るようにキャプスタンモータ７を制御する。４はｎコマ送り用の操作釦である。
【００１５】
図２は本発明の（実施の形態１）における映像信号関連のタイミングチャートである。
図２において、映像ａｍ（ｍ＝１，２，３，…）はカメラａの映像信号、映像ｂｍ（ｍ＝１，２，３，…）はカメラｂの映像信号、・・・映像ｎｍ（ｍ＝１，２，３，…）はカメラｎの映像信号である。
【００１６】
映像切換装置２００にて切換えられて映像入力手段１の入出力には、映像Ｐ１に示すように映像ａ１，映像ｂ２，・・・・，映像ｎ４，映像ａ５，映像ｂ６，・・・・の内容の映像信号が発生する。磁気テープＡは、映像Ｐ１が磁気記録再生装置３００により記録された記録フォーマットである。Ｐ２はコマ送り再生時の再生映像で、ここでは映像ａ１の静止画が映像出力手段８から出力されている状態においてコマ送りを指示すると、映像出力手段８から映像ａ１の静止画に続いて映像ａ５の静止画、映像ａ５の静止画に続いて映像ａ９の静止画が出力される。
【００１７】
テープ送り制御手段５とコマ送り量設定手段３およびｎコマ送り用の操作釦４の構成を具体的に説明する。
コマ送り量設定手段３に磁気テープＡをコマ送り再生する際のコマ送り量を予め設定する。この場合は、ｎ台のカメラが切換えて順に記録されているので、特定の一台であるカメラａの映像のみを図２のコマ送り再生時の再生映像Ｐ２のようにコマ送り再生したい場合には、コマ送り量設定手段３には、ｎコマが設定される。
【００１８】
今、再生映像の静止画が映像ａ１である場合に、磁気テープＡをコマ送り再生するために操作釦４を押すと、テープ送り制御手段５はコマ送り量設定手段３にて設定されたｎコマ分だけ磁気テープ６を送るようにキャプスタンモータ７を制御する。
【００１９】
よって、次の静止画は映像ａ５となり、映像記録再生手段２からは操作釦４を押す度に映像ａ１→映像ａ５→映像ａ９のように再生映像Ｐ２が再生され、映像出力手段８からその映像が出力される。
【００２０】
すなわち、ｎ台のカメラのフィールドまたはフレーム単位で切換えられた映像の記録された磁気テープをコマ送り再生する際に、釦操作１回でｎコマ分のコマ送りを自動で行い、常に固定されたカメラ映像のみのコマ送り再生を可能としている。
【００２１】
（実施の形態２）
図３〜図５は本発明の（実施の形態２）を示す。
（実施の形態２）の磁気記録再生装置４００は、（実施の形態１）での磁気記録再生装置３００において、映像記録再生手段２と映像出力手段８との間に映像記憶手段９を設け、コマ送り停止時の映像を順次記憶させ、常にコマ送り停止の再生映像Ｐ３（図４参照）のみを映像出力手段８から出力させるようにしたものである。その他は（実施の形態１）と同じである。
【００２２】
よって、（実施の形態１）ではコマ送り移行中に他のカメラ映像が再生されていたが、（実施の形態２）ではコマ送り移行時も常に固定されたカメラ映像のみを再生できる。
【００２３】
（実施の形態３）
図５は本発明の（実施の形態３）を示す。
（実施の形態３）の映像切換付きの磁気記録再生装置５００は、（実施の形態２）における映像入力手段１の代わりに映像切換装置２００を内蔵したものである。その他は磁気記録再生装置４００と同じである。
【００２４】
（実施の形態４）
図６と図７は本発明の（実施の形態４）を示す。
（実施の形態４）の映像切換付きの磁気記録再生装置６００は、記録時には映像切換手段１１にて切換えられた映像にｎ台のカメラ映像を識別するためのカメラ番号を映像記録再生手段２に送り、再生時には磁気テープに記録されたカメラ映像が何番のカメラ映像かを認識するためのカメラ番号認識手段１２を設け、再生時に任意の見たいカメラ番号を選択する再生カメラ番号設定手段１３を設け、（実施の形態３）でのコマ送り量設定手段３とテープ送り制御手段５の代わりに、選択した任意のカメラ番号を認識するまでコマ送り再生させるコマ送り量制御手段１４を設けた点だけが（実施の形態３）とは異なっている。
【００２５】
この構成によると、コマ送り量を予め設定することなく釦操作１回で任意のカメラ番号を選択してコマ送り再生することができる。
図７において、映像ａｍ（ｍ＝１，２，３，…）はカメラａの映像、映像ｂｍ（ｍ＝１，２，３，…）はカメラｂの映像、映像ｎｍ（ｍ＝１，２，３，…）はカメラｎの映像、映像ｃは映像切換手段１１にて切換えられた映像である。磁気テープＢは、映像Ｐ１及びカメラ番号が記録されたものである。再生映像Ｐ２は、映像記録再生手段２から再生されるコマ送り再生時の再生映像であり、再生映像Ｐ３は、映像記憶手段９から出力される映像である。
【００２６】
このように構成された本実施例の映像切換付き磁気記録再生装置の動作を、図６と図７を用いて説明する。
まず、外部の監視カメラ１００の映像ａ、映像ｂ、映像ｎが映像入力手段１０に入力され映像切換手段１１により切換えられる、その切換えれれた映像Ｐ１が映像記録再生手段２に送られる、同時に、カメラ番号認識手段１２からは映像Ｐ１に同期したカメラ番号が映像記録再生手段２に送られ、映像Ｐ１とカメラ番号が磁気テープ６に記録される。その磁気テープに記録された状態が図７の磁気テープＢである。
【００２７】
次に、再生したいカメラ番号を再生カメラ番号設定手段１３に設定する。ここでは、カメラｂが設定されたとする。そうすると、今現在の静止画が映像ａ１であっても、磁気テープＢをコマ送り再生するために操作釦４が押されると、テープ送り量制御手段１４は、再生カメラ番号設定手段１３に設定された映像ｂの情報がカメラ番号認識手段１４から送られて来るまで磁気テープＢを送るようにキャプスタンモータ７を制御する。
【００２８】
よって、次の静止画は映像ｂ６となり、映像記録再生手段２からは再生映像せＰ２が再生され、映像出力手段８からは、操作釦４を押す度に映像ａ１→映像ｂ６→映像ｂ１０のようにカメラｂの再生映像ｆが出力される。
【００２９】
即ち、ｎ台のカメラのフィールドまたはフレーム単位で切換えられた映像の記録された磁気テープをコマ送り再生する際に、釦操作１回で見たい選択した任意カメラ映像までのコマ送りを自動で行い、常に固定されたカメラ映像のみのコマ送り再生を可能とする。
【００３０】
ここでは、コマ送り量制御手段にて任意のカメラ番号を認識するまでコマ送りさせるが、一定量コマ送りを行っても選択したカメラ番号を認識できなかった場合にはコマ送りを停止させる最大コマ送り量設定手段をさらに設けることにより、間違って記録されていないカメラ番号が再生カメラ番号設定手段１３に設定された場合にも、コマ送りし続けることなく自動的にコマ送りを停止させることが出来る。
【００３１】
これまでの実施の形態では、磁気テープに記録された１つのカメラ映像（１フィールドまたは１フレームの映像）を１トラックで表現したが、図８の様に１つのカメラ映像を複数トラックに記録する場合、および図９の様に２つのカメラ映像を合成して複数トラックに記録する場合も同様の効果が得られる。
【００３２】
【発明の効果】
以上のように本発明によれば、記録媒体のコマ送り再生時のコマ送り量を設定するコマ送り量設定手段と、コマ送り再生を指示する操作釦の操作を検出してキャプスタンモータを制御するテープ送り制御手段とを備え、前記テープ送り制御手段を、フィールドまたはフレーム単位で切換えられた映像の記録された記録媒体を、前記操作釦の操作を検出して前記コマ送り量設定手段に設定されたコマ送り量だけコマ送りを行うよう構成したため、ｎ台のカメラの切換えられた映像を記録する長時間録画可能な監視装置において、その記録された磁気テープをコマ送り再生する際に、１回のコマ送り操作でｎコマ送り動作を自動で行うことができる。
【００３３】
さらに、内部に映像記憶手段を設けることにより、コマ送り移行時にも任意のカメラ映像を再生することができるという効果が得られる。
【図面の簡単な説明】
【図１】本発明の（実施の形態１）の磁気記録再生装置の構成図
【図２】同（実施の形態１）のタイミングチャート図
【図３】本発明の（実施の形態２）の磁気記録再生装置の構成図
【図４】同（実施の形態２）のタイミングチャート図
【図５】本発明の（実施の形態３）の磁気記録再生装置の構成図
【図６】本発明の（実施の形態４）の磁気記録再生装置の構成図
【図７】同（実施の形態４）のタイミングチャート図
【図８】１つのカメラ映像を複数トラックに記録する別の実施の形態のタイミングチャート図
【図９】２つのカメラ映像を合成して複数トラックに記録する別の実施の形態のタイミングチャート図
【符号の説明】
１    映像入力手段
２    映像記録再生手段
３    コマ送り量設定手段
４    操作釦
５    テープ送り制御手段
６    磁気テープ
７    キャプスタンモータ
８    映像出力手段
９    映像記憶手段
１０    映像入力手段
１１    映像切換手段
１２    カメラ番号認識手段
１３    再生カメラ番号設定手段
１４    コマ送り量制御手段
１００    監視カメラ
２００    映像切換装置
３００，４００，５００，６００     磁気記録再生装置
【図１】
0003640584.tif 000002
【図２】
0003640584.tif 000003
【図３】
0003640584.tif 000004
【図４】
0003640584.tif 000005
【図５】
0003640584.tif 000006
【図６】
0003640584.tif 000007
【図７】
0003640584.tif 000008
【図８】
0003640584.tif 000009
【図９】
0003640584.tif 000010